(57)【要約】【課題】  枠組足場の組立作業負担を軽減できるとともに部品点数を削減できる金網パネルを提供することであり、また、枠組足場の組立作業における安全性を向上することが可能な金網パネルの取付方法を提供することである。【解決手段】  一対の建枠Ｔ，Ｔの縦材１０，１０に架け渡して固定される金網パネル１において、金網２と、金網２の外縁を囲むようにして金網２を支持する枠体３と、枠体３に取付けられた一つ以上の斜材４とを備えた。【選択図】        図１
2007177502.tif 000002
【特許請求の範囲】
【請求項１】
一対の建枠の縦材に架け渡して固定される金網パネルにおいて、金網と、金網の外縁を囲むようにして金網を支持する枠体と、枠体に取付けられた一つ以上の斜材とを備えたことを特徴とする金網パネル。
【請求項２】
縦材と横材からなる建枠を横方向に複数整列させて起立し、各横材間に足場板を架設してなる枠組足場における縦材に金網パネルを取付ける金網パネルの取付方法において、金網パネルが、金網と、金網の外縁を囲むようにして金網を支持する枠体と、枠体に取付けられた一つ以上の斜材とを備えてなり、先行手摺より縦材側に配置されるとともに枠体の下端が足場板の上端より上方に位置するように取付けられることを特徴とする金網パネルの取付方法。
【請求項３】
縦材と横材からなる建枠を横方向に複数整列させて起立し、各横材間に足場板を架設してなる枠組足場における縦材に金網パネルを取付ける金網パネルの取付方法において、金網パネルが、金網と、金網の外縁を囲むようにして金網を支持する枠体と、枠体に取付けられた一つ以上の斜材とを備えてなり、先行手摺より外方に配置されて取付けられることを特徴とする金網パネルの取付方法。
【請求項４】
縦材と横材からなる建枠を横方向に複数整列させて起立し、各横材間に足場板を架設してなる枠組足場における縦材に金網パネルを取付ける金網パネルの取付方法において、金網パネルが、金網と、金網の外縁を囲むようにして金網を支持する枠体と、枠体に取付けられた一つ以上の斜材とを備えるとともに、枠体の上下方向長さは上下に配置される足場板間の間隔長と同じに設定されてなり、枠体の下端が足場板間の中央付近に位置するように取付けられることを特徴とする金網パネルの取付方法。
【発明の詳細な説明】
【技術分野】
【０００１】
この発明は、金網パネルの改良および改良された金網パネルの取付方法に関する。
【背景技術】
【０００２】
従来から建物等の建築の際には枠組足場が設置され、この枠組足場上で作業者が歩行し、作業を行うが、作業者の安全や工具等の落下を防止するため枠組足場の外方面、すなわち、建物側を内方として外側を向く面に、パネル状の金網を取付けるようにしている（たとえば、特許文献１，２，３参照）。
【０００３】
また、枠組足場にあっては、隣り合う建枠間に架け渡したブレスで補強されるとしており、金網は、枠組足場が組みあがりブレスで補強した後に、取付けられるようになっていた。
【特許文献１】実開昭５３−１６３８３３号公報（図３）
【特許文献２】実開昭５６−１４５５５５号公報（図１）
【特許文献３】実開昭５８−１１０１４０号公報（図２）
【発明の開示】
【発明が解決しようとする課題】
【０００４】
しかしながら、この従来金網は、パネル状とされているが、構造上、枠組足場を補強することができず、ブレスと併設されることから、枠組足場全体としての部品点数が多くなり、枠組足場の組立作業の負担が大きかった。
【０００５】
また、枠組足場を組立る際には、一階層ずつ上方に付け足すようにして枠組足場を組んでいくようにしており、すでに完成した階層の枠組足場から上方に建枠を連結し、この上方に連結した建枠に完成した階層の足場板上から先行手摺を取付けて、作業員の安全を確保しつつ組立作業が進行していくが、先行手摺は、その階層の作業が完了すると、その上方の階層の建枠に盛りかえることから、手摺が存在しない状態となる。
【０００６】
そして、上記した従来の金網は完成後に取付けられるようにしており、先行手摺は上述のように組立作業中の最上階の枠組足場のみに設置されることになるから、完成済みの階層の枠組足場における安全性に問題がある。
【０００７】
そこで、本発明は上記した不具合を改善するために創案されたものであって、その目的とするところは、枠組足場の組立作業負担を軽減できるとともに部品点数を削減できる金網パネルを提供することであり、また、枠組足場の組立作業における安全性を向上することが可能な金網パネルの取付方法を提供することである。
【課題を解決するための手段】
【０００８】
本発明の課題解決手段は、一対の建枠の縦材に架け渡して固定される金網パネルであって、金網と、金網の外縁を囲むようにして金網を支持する枠体と、枠体に取付けられた一つ以上の斜材とを備えた。
【０００９】
また、本発明の他の課題解決手段は、縦材と横材からなる建枠を横方向に複数整列させて起立し、各横材間に足場板を架設してなる枠組足場における縦材に金網パネルを取付ける金網パネルの取付方法であって、金網パネルが、金網と、金網の外縁を囲むようにして金網を支持する枠体と、枠体に取付けられた一つ以上の斜材とを備えてなり、先行手摺より縦材側に配置されるとともに枠体の下端が足場板の上端より上方に位置するように取付けられるようにした。
【００１０】
そして、本発明のさらに他の課題解決手段は、縦材と横材からなる建枠を横方向に複数整列させて起立し、各横材間に足場板を架設してなる枠組足場における縦材に金網パネルを取付ける金網パネルの取付方法であって、金網パネルが、金網と、金網の外縁を囲むようにして金網を支持する枠体と、枠体に取付けられた一つ以上の斜材とを備えてなり、先行手摺より外方に配置されて取付けられるようにした。
【００１１】
さらに、本発明の別の課題解決手段は、縦材と横材からなる建枠を横方向に複数整列させて起立し、各横材間に足場板を架設してなる枠組足場における縦材に金網パネルを取付ける金網パネルの取付方法であって、金網パネルが、金網と、金網の外縁を囲むようにして金網を支持する枠体と、枠体に取付けられた一つ以上の斜材とを備えるとともに、枠体の上下方向長さは上下に配置される足場板間の間隔長と同じに設定されてなり、枠体の下端が足場板間の中央付近に位置するように取付けられるようにした。
【発明の効果】
【００１２】
本発明の金網パネルによれば、枠組足場の組立作業負担を軽減できるとともに部品点数を削減できる。
【００１３】
また、本発明の金網パネルの取付方法によれば、枠組足場の組立作業における安全性を向上することが可能である。
【発明を実施するための最良の形態】
【００１４】
以下、図１から図２３に基づいて本発明の実施の形態について説明する。本発明には、図１から図１３に示す第１の実施の形態と、図１４から図１７に示す第２の実施の形態と、図１８から図２３に示す第３の実施の形態とがある。
【００１５】
第１の実施の形態における金網パネル１は、図１に示すように、長方形の金網２と、金網２の外縁を囲むようにして金網を支持する枠体３と、枠体３に取付けられた一対の斜材４とを備えて構成され、図２に示すように、枠組足場を構成する隣り合う建枠Ｔ，Ｔの縦材１０，１０間に架け渡して取付けられる。
【００１６】
なお、建枠Ｔは、図２中、紙面に向かって前後方向に並べて配置される一対の縦材１０，１０（前後方向に並べられているので、図２中には手前の縦材１０の背後にある縦材１０は手前の縦材１０に後ろに隠れているので図示されていない）と、縦材１０，１０を連結する横材１１とを備えて構成されており、枠組足場は、これら建枠Ｔを図２中左右方向に整列配置して起立させ、隣り合う建枠Ｔ，Ｔの横材１１，１１間に足場板Ａを架け渡す、すなわち、架設することによって構成される。
【００１７】
金網パネル１について、説明を戻すと、金網２は、複数の交差する金属線を織るようにして形成されるものであってもよいし、金属板を打ち抜き加工等によって金網状とされることによって形成されてもよく、長方形状とされている。
【００１８】
そして、この金網２の四方の外縁を囲んで金網２を支持する枠体３は、上枠３ａと、下枠３ｂと、左枠３ｃと、右枠３ｄとで構成されて、ちょうど金網２の外縁に沿う形状とされており、金網２の外縁が枠体３に溶接等によって取付けられている。
【００１９】
また、枠体３の上下方向長さは、上下に配置される足場板Ａ，Ａの間隔長の２分の１の長さに設定されている。
【００２０】
さらに、この枠体３の左右枠３ｃ，３ｄに一対の斜材４，４が斜めに架け渡されて固定されており、この斜材４，４は、図２に示すように、枠体３を縦材１０，１０間に架け渡して固定することで、建枠Ｔ，Ｔと、足場板Ａとで構成される枠組足場を補強するブレスとして機能する。
【００２１】
また、左右枠３ｃ，３ｄは、それぞれ、図１中、中間部上方に枠体３の外方に突出するプレート５，５を備えるともに、下端にも、枠体３の外方に突出するプレート６，６を備えている。
【００２２】
プレート５は、長方形状をしており、左右枠３ｃ，３ｄの上下方向に沿うように取付けられており、その上下方向に並べて三つの孔５ａを有している。他方のプレート６には、孔６ａが一つ設けてある。
【００２３】
また、建枠Ｔの縦材１０の中間部には、図２および図３に示すように、金具１２が取付けられており、この金具１２は、ボルト１２ｂがヒンジ結合された金具本体１２ａと、金具本体１２ａに対してヒンジ結合されるとともに上記ボルト１２ｂが挿入される切欠１２ｄを備えた遥動片１２ｃと、金具本体１２ａから起立されるピン１２ｅと、ボルト１２ｂに螺合するナット１２ｆとを備えて構成されている。
【００２４】
そして、上記金具本体１２ａと遥動片１２ｃとで縦材１０を挟み込むとともに、ボルト１２ｂを切欠１２ｄ内に挿入して、遥動片１２ｃの上からボルト１２ｂにナット１２ｆを捻じ込むことによって、金具本体１２ａと遥動片１２ｃとをヒンジ結合点を支点として接近せしめ、金具本体１２ａと遥動片１２ｃとで縦材１０と締め付けて縦材１０に金具１２を強固に取付けることができるようになっている。なお、上記金具１２は、図２に示すように、縦材１０にピン１２ｅを横材１１の軸線に沿うように建枠Ｔの内方を向けて取付けられる。
【００２５】
また、ピン１２ｅは、その先端にヒンジ結合される係止片１２ｇを備えており、係止片１２ｇは、図３に示すように、重力の作用によって、ピン１２ｅから突出する状態に維持される。
【００２６】
なお、建枠Ｔの縦材１０の上下にも、係止片１２ｇを備えたピン１２ｅと同様の構成のピン１０ａ（ピン１０ａの係止片については図示せず）が設けられており、そのピン１０ａも上記ピン１２ｅと同様に横材１１の軸線に沿い建枠Ｔの内方を向いている。
【００２７】
つづいて、この金網パネル１を縦材１０，１０に取付けるには、図２に示すように、縦材１０，１０に設けたピン１０ａと、金具１２のピン１２ｅを利用して取付けられ、金網パネル１は上下２枚で縦材１０と足場板Ａとで作られるラーメンの略全部を覆うようになっている。つまり、この金網パネル１は、ピン１０ａ，１２ｅが建枠Ｔの内方を向いているので、足場板Ａ側から縦材１０，１０に取り付けられることになる。
【００２８】
そして、下方側に配置される金網パネル１は、図１の姿勢から転地逆向きにしてプレート５の孔５ａ内に縦材１０の下方側のピン１０ａを挿入し、プレート６の孔６ａ内に金具１２のピン１２ｅを挿入することで縦材１０，１０に取付けられる。ここで、下方側に配置される金網パネル１の下端となる上枠３ａは、足場板Ａの上端より上方に位置するように配置され、足場板Ａと枠体３との間には所定に隙間が形成されるようになっている。なお、孔５ａにピン１０ａを挿入し、孔６ａにピン１２ｅを挿入すると、上記したピン１０とピン１２ｅの各係止片１２ｇの突出によって金網パネル１は、縦材１０から脱落することがない。
【００２９】
他方、上方側に配置される金網パネル１は、図１の姿勢のままにしてプレート５の孔５ａ内に縦材１０の上方側のピン１０ａを挿入し、プレート６の孔６ａ内に金具１２のピン１２ｅを挿入することで縦材１０，１０に取付けられる。
【００３０】
すると、上方側に配置される金網パネル１の上端となる上枠３ａは、上の階の足場板Ａの上端より上方側に位置するように配置されることになり、この金網パネル１が２枚一組としてさらに上の階の縦材１０，１０に取付けられることによって、結果、最下階の枠組足場における縦材１０，１０の下方側に隙間ができる以外には、全て金網パネル１で枠組足場の外周を覆うことができる。
【００３１】
また、この金網パネル１に設けたプレート５には、三つの孔５ａが設けられているので、ピン１０ａの位置が異なる規格の縦材１０にも、ピン１０ａを挿入する孔５ａを適宜選択することによって、金網パネル１を取付けることが可能であるので、縦材１０の規格に合わせて異なる規格の金網パネル１を用意する必要が無く、金網パネル１の汎用性、実用性および経済性を向上することができる。
【００３２】
つづき、この金網パネル１の取付方法について図４を参照しながら説明する。なお、図４の矢印は取付けて順を示している。まず、図４に示すように、完成済みの階層における枠組足場の建枠Ｔの縦材１０，１０に下方側の金網パネル１を取付ける。つづき、完成済みの階層における枠組足場の建枠Ｔの縦材１０，１０の上端に先行手摺２０を完成済みの階層から操作して取付ける。先行手摺２０は、このようにして、完成済みの階層の上に組立てられる枠組足場用の手摺とされる。
【００３３】
上記先行手摺２０は、具体的にはたとえば、図５に示すように、上下一対の桟２０ａ，２０ｂと、上下の桟２０ａ，２０ｂの左右端にそれぞれヒンジ結合される支柱２０ｃ，２０ｄとを備えて構成されており、上記上下の桟２０ａ，２０ｂは、それぞれ二つのパイプからなっており、一方のパイプ内に他方のパイプが入り込むことによって伸縮自在とされている。
【００３４】
また、上記支柱２０ｃ，２０ｄの下端には、それぞれ、図６に示すように、建枠１０への先行手摺２０の固定を可能とする取付金具２１が設けられており、この取付金具２１は、建枠１０を抱き込むことが可能なように板を湾曲させて断面Ｕ字状とした取付金具本体２１ａと、取付金具本体２１ａと支柱２０ｃ，２０ｄを連結する上下一対のプレート２１ｂ，２１ｃと、プレート２１ｂに支持された楔２１ｄとを備えて構成され、取付金具本体２１ａで縦材１０を抱き込んだ状態で側方から楔２１ｄを打ち込むことによって、縦材１０を取付金具本体２１ａと楔２１ｄとで挟み込んで、支柱２０ｃ，２０ｄを強固に縦材１０に取付けることが可能となっている。
【００３５】
また、取付金具本体２１ａの側部には、切欠２１ｅが設けられており、この切欠２１ｅ内に上記した縦材１０のピン１０ｅを挿入することによって、先行手摺２０の縦材１０に対して下方へのずり下がりが防止されるようになっている。
【００３６】
そして、この先行手摺２０は、以下の手順で下階層から建枠Ｔの縦材１０の上端に取付けられることになる。この手順について説明すると、図５に戻って、下階層の縦材１０の上端に取付けられている取付金具２１を操作して楔２１ｄを抜き、支柱２０ｃと支柱２０ｄうち一方の取付金具２１を下階層の縦材１０の上端から取り外し、二点差線で示すがごとくに、縦材１０から取外した支柱２０ｃと支柱２０ｄうち一方を、上下の桟２０ａ，２０ｂを伸張させつつ上方に持ち上げて、建枠Ｔの縦材１０の上端に取付金具２１を固定して、建枠Ｔの縦材１０の上端に取付ける。
【００３７】
つづき、今度は、下階層の建枠Ｔの縦材１０の上端に取り残された支柱２０ｃと支柱２０ｄのうち他方を上記と同様の手順で建枠Ｔの縦材１０の上端に取付ける。
【００３８】
以上の手順で、作業員は、完成済みの枠組足場における足場板Ａ上に居ながらにして簡単に先行手摺２０を上階層の枠組足場用の手摺とする、すなわち、先行手摺２０の盛り代えを行うことが可能である。
【００３９】
なお、先行手摺としては、上記構成以外のものを採用することができ、たとえば、図７に示した先行手摺２３は、上下の伸縮不能な桟２３ａ，２３ｂと、上下の桟２３ａ，２３ｂの左右端にそれぞれヒンジ結合される支柱２３ｃ，２３ｄとを備えて構成されており、図７中二点差線で示すように、この先行手摺２３にあっても、左右の支柱２３ｃ，２３ｄのうち一方を上方に持ち上げて、完成済みの枠組足場における建枠Ｔの縦材１０の上端に取付けることが可能であり、その後、左右の支柱２３ｃ，２３ｄのうち他方を上方に持ち上げて、現階層の建枠Ｔの縦材１０の上端に取付けることによって、先行手摺２３を上階層の枠組足場用の手摺とすることが可能である。
【００４０】
この先行手摺２３を縦材１０に取付ける取付金具２４は、上述した取付金具２１と構成が異なり、この取付金具２４は、縦材１０の上方に着脱自在に取付けられる取付金具本体２４ａと、この取付金具本体２４ａの図７中両側に設けた支柱２３ｃ，２３ｄがそれぞれ挿入されるソケット２４ｂ，２４ｂとを備えて構成されている。
【００４１】
取付金具２４にソケット２４ｂが二つ設けられているのは、一つ隣の縦材１０，１０間に取付けられる先行手摺２３の支柱２３ｃ，２３ｄを支持するようになっているためであって、このソケット２４ｂは、支柱２３ｃ，２３ｄを保持できるようになっている。
【００４２】
したがって、この先行手摺２３においても、作業員は、完成済みの枠組足場における足場板Ａ上に居ながらにして簡単に先行手摺２３を上階層の枠組足場用の手摺とする、すなわち、先行手摺２３の盛り代えを行うことが可能である。なお、この場合、取付金具２４を用いて縦材１０に先行手摺２３を取付けるようにしているが、取付金具２１を用いるようにしてもよく、このことは先行手摺２０においても同様である。
【００４３】
さらに、先行手摺は、図８に示すような先行手摺２６であってもよい。この先行手摺２６は、枠２６ａと、枠２６ａの左右下端にヒンジ結合された左右の支柱２６ｂ，２６ｃとを備えて構成され、右側の支柱２６ｃは、上下に二分割されてヒンジ結合されて中間部で折れ曲がることが可能となっている。
【００４４】
また、この先行手摺２６にあっては、左右の支柱２６ｂ，２６ｃの下端に上記した取付金具２２がそれぞれ設けられている。したがって、この先行手摺２６にあっても、図８中破二点差線で示すように、右側の支柱２６ｃを上方に持ち上げることによって下方の建枠１０の上端から該支柱２６ｃを取外して完成済みの枠組足場における建枠Ｔの縦材１０の上端に取り付け、その後、左側の支柱２６ｂを同様に完成済みの枠組足場における建枠Ｔの縦材１０の上端に取付けることで、完成済みの枠組足場における足場板Ａ上に居ながらにして簡単に先行手摺２６を上階層の枠組足場用の手摺とする、すなわち、先行手摺２６の盛り代えを行うことが可能である。
【００４５】
なお、上記したところでは、先行手摺２０，２３，２６を階下から階上の枠組足場へ付け替える手順について説明したが、枠組足場を解体する場合には、上記手順とまったく反対の手順を踏むことで、先行手摺２０，２３，２６を階上から階下の枠組足場へ移動させることが可能である。
【００４６】
つづき、図４に戻って、上階の枠組足場用の先行手摺２０が取付けられた状態下で、上階の足場板Ａの設置や、完成済みの建枠Ｔの上方にその上の階の枠組足場を構成する建枠Ｔを連結して、上階の枠組足場を完成させ、先行手摺２０をそのままにした状態で、その階の縦材１０，１０に下方側の金網パネル１を取付ける。このとき、金網パネル１は、先行手摺２０より足場板Ａ側、すなわち、先行手摺２０より枠組足場の内側に金網パネル１が取付けられる。
【００４７】
したがって、この縦材１０の下方側に取付けられる金網パネル１の取付作業時には、先行手摺２０が存在した状態であるので、作業員は、安全に金網パネル１の取付作業を行うことが可能であり、ひとたびこの下方側の金網パネル１が縦材１０に取付けられると、今度は、この金網パネル１が手摺として機能することになるので、組立作業時に各階の枠組足場においてまったく手摺が存在しない状態となることがない。
【００４８】
そして、この金網パネル１は、縦材１０，１０の構造を補強するブレスとして機能する斜材４を備えているので、手摺としても強度が十分であるので、作業員が誤って金網パネル１にもたれかかるような状況となっても、作業員が枠組足場から落下してしまうといった危険もない。
【００４９】
また、金網パネル１の斜材４は、ブレスとして機能するので、縦材１０，１０間に別途ブレスを設ける必要がなくなるので、部品点数が減少し、枠組足場の組立作業が容易となり作業負担が軽減される。
【００５０】
さらに、この金網パネル１の下端は、上述したように、その階の足場板Ａの上端より上方に位置するように配置される。したがって、この後に続く、枠組足場の最外方に配置される先行手摺２０の取り外しと再設置における作業にあたり、作業員は、上記隙間を利用して容易に先行手摺の盛り代え作業を行うことが可能となる。
【００５１】
そして、この先行手摺２０の盛り代え作業が終了すると、最初に完成済みであった枠組足場の階層における縦材１０，１０の上方に上方側に配置される金網パネル１を取付ける。
【００５２】
以上の手順を順に繰り返すことによって、枠組足場を上方に組み上げつつ、養生金網として機能する金網パネル１も設置することができ、上述したように、枠組足場の全体が完成してから養生金網を設置するような危険な作業を強いられることなく、作業員の安全を確保しつつ枠組足場を組み上げつつ養生金網としても機能する金網パネル１を設置することが可能である。
【００５３】
そして、完成済みの枠組足場の階層の全面に上下の金網パネル１が設置されると、この金網パネル１は、爪先板としても機能することができ、別途、爪先板を設ける必要が無いので、この点でも枠組足場の部品点数を削減することが可能である。
【００５４】
なお、枠組足場を解体する場合には、先ほどとは手順をまったく逆にして先行手摺２０を下階の枠組足場へ移動しつつ、金網パネル１を縦材１０から取外していくことになるが、先行手摺２０の下階への移動に先んじて金網パネル１が縦材１０から取り除かれるが先行手摺２０は、必ず、作業中の階層の枠組足場に残すようにしておくことができるので、解体作業においても作業の安全性が向上することになる。
【００５５】
ここで、上記した金網パネル１のバリエーションについて説明する。図９（Ａ）に示すように、上枠３ａと下枠３ｂとを垂直材３ｅで連結して、より一層金網パネル１の強度向上を図るようにしてもよく、また、図９（Ｂ）に示すように、さらに、左枠３ｃと右枠３ｄとを水平材３ｆで連結するとして、金網パネル１のさらなる強度向上を図るようにしてもよい。なお、水平材３ｆのみを金網パネル１に追加するようにしてもよいことは勿論である。
【００５６】
また、図１０に示すような金網パネル３１を採用することができる。この金網パネル３１における金網３１ａは、長方形の上端右隅の一箇所を四角く切り取って長方形の上左端に上方に切り取った四角をくっ付けた形状をしており、枠体３１ｂもその金網３１ａの外縁と同様の形状とされている。そして、この枠体３１ｂの左右に二つの斜材３１ｃ，３１ｃが互いに交差して架け渡されて取付けられており、この斜材３１ｃ，３１ｃは、縦材１０，１０のブレスとして機能する。また、この枠体３１ｂの左右には、上述の金網パネル１と同様のプレート５，５，６，６が設けられており、この金網パネル３１もやはり上述の金網パネル１と同様に一対で縦材１０，１０間を覆うような構成とされており、縦材１０の上方側に取付ける金網パネル３１は図１０に示した姿勢で取付けられ、他方の縦材１０の下方側に取付ける金網パネル３１は図１０と転地逆の姿勢で取付けられるようになっている。
【００５７】
この対を成す金網パネル３１のうち下方側の金網パネル３１の下端となる部位Ｘは、足場板Ａの上端と同じ位置になるように配置されて縦材１０に取付けられる点で、上述の金網パネル１の取付け方と異なるが、この違いにより、足場板Ａとの間にできる隙間の長さ（図１０中左右長さ）を短くすることができ、より作業員の安全を確保することが可能である。
【００５８】
さらに、金網パネル１を縦材１０に取付けるために建枠Ｔの縦材１０の中間部に設けられる金具のバリエーションについて説明する。すなわち、上記した金具１２に代えて、図１１に示す金具３３を用いてもよい。この金具３３は、建枠１０を抱き込むことが可能なように板を湾曲させて断面Ｕ字状とした金具本体３３ａと、金具本体３３ａに設けた一対の孔３３ｅ，３３ｆに挿入される楔３３ｂと、金具本体３３ａから起立され金網パネル１，３３の孔６ａ内に挿入されるピン３３ｃとを備えて構成されている。
【００５９】
そして、金具本体３３ａで縦材１０を抱き込んだ状態で側方から楔３３ｂを打ち込むことによって、縦材１０を金具本体３３ａと楔３３ｂとで挟み込んで、該金具３３を強固に縦材１０に取付けることが可能となっている。
【００６０】
また、ピン３３ｃは、ピン１２ｅと同様の構成であって、その先端にヒンジ結合される係止片３３ｄを備えている。したがって、この金具３３によっても金網パネル１，３１を縦材１０に脱落することがないように取付けることが可能である。
【００６１】
さらに、図１２に示した金具３４では、金具本体３４ａ、遥動片３４ｂの構成は金具１２と同様の構成として、孔６ａに挿入されるピン３４ｃとプレート６の抜止めの構成が異なる。異なる部分について説明すると、ピン３４ｃは金具本体３４ａから起立されるとともに、その先端と基端に孔が設けられ、この孔に挿入されるＪ字状のロック片３４ｄが設けられている。
【００６２】
このロック片３４ｄは、ピン３４ａをプレート６の孔６ａに挿入する際には、図１２（ｃ）中の二点差線に示すように、上方に引き上げられた位置に保持しておき、ピン３４ｃが孔６ａに完全に挿入された後、ロック片３４ｄを上記した位置から落としこむことで、ロック片３４ｄは、重力の作用によって図１２（ｃ）の実線で示す状態に維持され、プレート６がロック片３４ｄの湾曲部分で挟まれる格好となって、金網パネル１，３１の金具３４からの脱落が防止されるようになっている。したがって、この金具３４によっても金網パネル１，３１を縦材１０に脱落することがないように取付けることが可能である。
【００６３】
さらに、図１３に示した金具３５では、Ｃ型に湾曲された胴部３６ａと胴部３６ａの図１３（Ｂ）中上下から延びて胴部３６ａとは逆向きに折り曲げられて矩形環を成す一対の環部３６ｂ，３６ｃを備えた一方部材３６と、Ｃ型に湾曲された胴部３７ａと胴部３７ａの図１３（Ｂ）中中央部から延びて胴部３７ａとは逆向きに折り曲げられて矩形環を成すとともに上記一方部材３６における環部３６ｂと環部３６ｃとの間に入子式に入り込む環部３７ｂとを備えた他方部材３７と、上記環部３６ｂ，３６ｃ，３７ｂ内を貫く楔３８と、他方部材３７の環部３７ｂから起立する金具３４におけるロック片３４ｄを備えたピン３４ｃと同様の構成のＵ字状のロック片４０を有するピン３９とを備えて構成されている。
【００６４】
この金具３５では、一方部材３６における胴部３６ａと他方部材３７における胴部３７ａとで縦材１０を挟み込んだ後に、環部３６ｂ，３６ｃ，３７ｂ内に楔３８を打ち込み、一方部材３６と他方部材３７とに互いに引き寄せる方向に力を作用させることで、一方部材３６における胴部３６ａと他方部材３７における胴部３７ａとで縦材１０を強固に挟み込むことができるとともに、上記ピン３９とロック片４０の構成で、金網パネル１，３１の金具３５からの脱落が防止されるので、この金具３５によっても金網パネル１，３１を縦材１０に脱落することがないように取付けることが可能である。
【００６５】
つづいて、第２の実施の形態について説明する。この第２の実施の形態における金網パネル５０は、図１４，１５に示すように、上述の第１の実施の形態における金網パネル１と略同様に、長方形の金網５１と、金網５１の外縁を囲う枠体５２と、斜材５３，５３とを備えており、異なる点は、プレート５，６の代わりにその左右上端にそれぞれフック５４が、左右下端にそれぞれフック５５が設けられている点である。
【００６６】
このフック５４は、図１５（Ｂ）に示すように、Ｕ字状とされて枠体５２の上端側であって紙面に向かって手前側となる面に固定されており、その先端は、図１５（Ａ）に示すように内側に湾曲されて枠体５２の軸線上に位置するようになっており、また、該先端には、ピン１２ｅに設けられる係止片１２ｇと同様の構成となる係止片５４ａが設けられている。
【００６７】
他方、フック５５は、図１５（Ｂ）に示すように、Ｓ字状とされて枠体５２の下端側であって紙面に向かって手前側となる面に固定されており、その先端は、図１５（Ａ）に示すように内側に湾曲されて枠体５２の軸線上に位置するようになっている。
【００６８】
そして、この金網パネル５０にあっても、第１の実施の形態における金網パネル１と同様に、その上下方向長さは、また、上下に配置される足場板Ａ，Ａの間隔長の２分の１の長さに設定されており、金網パネル５０は上下２枚で縦材１０と足場板Ａとで作られるラーメンの略全部を覆うようになっている。
【００６９】
この金網パネル５０を縦材１０に取付けるには、図１５に示した縦材１０に予め設けられる円周上に複数の孔５７を備えた円環状のブラケット５６を用いる。
【００７０】
このブラケット５６は、縦材１０の上端、下端および中間部に取付けられており、このブラケット５６の孔５７の一つに上記フック５４，５５を引っ掛けることで金網パネル５０を縦材１０，１０間に取付けることが可能である。
【００７１】
なお、図１５（Ａ）に示すように、上方側と下方側の金網パネル５０をブラケット５６に固定する際に、上方側の金網パネル５０の下端に設けたフック５５と下方側の金網パネル５０の上端に設けたフック５４とが干渉しないように、それぞれ同一ブラケット５６の異なる二箇所の孔５７に挿入されるとともに、上方側の金網パネル５０と下方側の金網パネル５０は、裏返しとなるような配置で縦材１０に取付けられることになる。
【００７２】
そして、この金網パネル５０は、図１６に示すように、先行手摺２０より外側の枠組足場の最外方となる位置に配置して取付けられることになる。この場合の先行手摺２０における支柱２０ｃ，２０ｄの下端には、それぞれ、ブラケット５６の孔５７に引っかかるフック６１と、該支柱２０ｃ，２０ｄの中間部には、ブラケット５６の上下を挟み込む腕と腕を貫通するとともにブラケット５６の孔５７内に挿入される楔とを備えた取付金具６０が設けられており、この取付金具６０とフック６１を縦材１０のブラケット５６に取付けることで先行手摺２０を縦材１０に固定することが可能なようになっている。なお、この場合、足場板Ａは、図中左側に配置される内側の縦材１０に設けられるブラケット５６と図中右側に配置される外側の縦材１０に設けられるブラケット５６を利用して架け渡される横材１１に架け渡されて架設されることになる。
【００７３】
そして、この実施の形態の場合、先行手摺２０は、金網パネル５０より足場板Ａ側に配置されることから、先行手摺２０の盛り代えには、金網パネル５０が邪魔とはならないので、下方側に配置される金網パネル５０の下端は足場板Ａの上端と同一のレベルに位置させることができることから、先行手摺２０を設置した状態で下方側の金網パネル５０はもとより上方側の金網パネル５０をも設置することができ、縦材１０と足場板Ａで作られるラーメン全体を金網パネル５０で覆ってしまうことができ、その階層における枠組足場全体を金網パネル５０で覆った後に先行手摺２０をこれから組立てる上階の枠組足場用の手摺として盛り代えるようにすることができる。
【００７４】
したがって、この第２の実施の形態における金網パネル５０の取付方法は、第１の実施の形態のように、先行手摺２０を設置後、先行手摺２０が設置された階層の枠組足場の外周全部を金網パネル５０で覆ってしまってから、さらに、上の階の枠組足場の組立作業に移る点で異なる。なお、この第２の実施の形態の金網パネル５０にあっても、第１の実施の形態と同様の取付方法を採用することは可能である。
【００７５】
具体的には、まず、完成済みの階層における枠組足場の建枠Ｔの縦材１０，１０に上下の金網パネル５０を取付けて、完成済みの枠組足場の外面全部を金網パネル５０で覆う。つづき、完成済みの階層における枠組足場の建枠Ｔの縦材１０，１０の上端に先行手摺２０を完成済みの階層から操作して取付ける。
【００７６】
そして、上階の枠組足場用の先行手摺２０が取付けられた状態下で、上階の足場板Ａの設置や、完成済みの建枠Ｔの上方にその上の階の枠組足場を構成する建枠Ｔを連結して、上階の枠組足場を完成させ、先行手摺２０をそのままにした状態で、その階の縦材１０，１０に上下の金網パネル５０を取付ける。
【００７７】
したがって、この縦材１０の上下に取付けられる金網パネル５０の取付作業時には、先行手摺２０が存在した状態であるので、作業員は、安全に金網パネル５０の取付作業を行うことが可能であり、金網パネル５０が縦材１０に取付けられると、今度は、この金網パネル５０が手摺として機能することになるので、組立作業時にまったく手摺が存在しない状態となることがない。
【００７８】
そして、この金網パネル５０は、縦材１０，１０の構造を補強するブレスとして機能する斜材５３を備えているので、手摺としても強度が十分であるので、作業員が誤って金網パネル５０にもたれかかるような状況となっても、作業員が枠組足場から落下してしまうといった危険もない。
【００７９】
また、金網パネル５０の斜材５３は、ブレスとして機能するので、縦材１０，１０間に別途ブレスを設ける必要がなくなるので、部品点数が減少し、枠組足場の組立作業が容易となり作業負担が軽減される。
【００８０】
この第２の実施の形態では、金網パネル５０越しに先行手摺２０の取り外し作業を行う必要がなくなるので、枠組足場の組立作業がさらに容易となる。また、先行手摺２０をこれから組立てる枠組足場用の手摺として上方に移動させる際には、金網パネル５０で完成済みの枠組足場の外周を全て覆ってしまうことができるのでより安全に枠組足場の組立作業を行うことが可能であり、さらに、階下に戻って上記ラーメン内の上方を覆うために金網パネル５０を設置するといった煩わしさも無いので、作業負担が第１の実施の形態にも増して軽減されることになる。
【００８１】
以上の手順を順に繰り返すことによって、枠組足場を上方に組み上げつつ、養生金網として機能する金網パネル５０も設置することができ、上述したように、枠組足場の全体が完成してから養生金網を設置するような危険な作業を強いられることなく、作業員の安全を確保しつつ枠組足場を組み上げつつ養生金網としても機能する金網パネル５０を設置することが可能である。
【００８２】
そして、完成済みの枠組足場の階層の縦材１０の下方に取付けられる金網パネル５０が設置されると、この金網パネル５０は、爪先板としても機能することができ、別途、爪先板を設ける必要が無いので、この点でも枠組足場の部品点数を削減することが可能であり、必ず完成済みの枠組足場における爪先板として機能する金網パネル５０を設置してから上階の枠組足場を組立てることができるので、より安全性が向上する。
【００８３】
なお、枠組足場を解体する場合には、先ほどとは手順をまったく逆にして先行手摺２０を下階の枠組足場へ移動しつつ、金網パネル５０を縦材１０から取外していくことになるが、先行手摺２０の下階への移動に先んじて金網パネル５０が縦材１０から取り除かれるが先行手摺２０は、必ず、作業中の階層の枠組足場に残すようにしておくことができるので、解体作業においても作業の安全性が向上することになる。
【００８４】
なお、この第２の実施の形態における金網パネル５０は、フック５４，５５と、縦材１０に取付けたブラケット５６を用いて、縦材１０に取付けられるようにしていたが、これを、図１７に示すように、縦材１０側に複数のソケット６５を設けておき、金網パネル５０の枠体５２の上下左右に、フック５４，５５の代わりに前期ソケット６５に挿入可能なフック６６を設けるようにしておいてもよい。
【００８５】
また、ソケット６５は、二つのフック６６が重ねて挿入されることを許容できるようになっており、フック６６は、図１７（Ａ）に示すように、図中上側に示した上方側の金網パネル５０と、図中下側に示した下方側の金網パネル５０の枠体５２同士およびフック６６同士が干渉しないように、枠体５２の厚み方向の図中上端または下端に設けられるようにされ、この場合も、金網パネル５０は上下で裏返しとなる配置で縦材１０に取付けられることになる。
【００８６】
最後に、第３の実施の形態における金網パネル７０について説明する。この第３の実施の形態における金網パネル７０は、図１８に示すように、方形の金網７１と、金網７１の外縁を囲う枠体７２と、斜材７３，７３とを備えており、この枠体７２の上下方向長さは、また、上下に配置される足場板Ａ，Ａの間隔長と同じ長さに設定されており、金網パネル７０は１枚で縦材１０と足場板Ａとで作られるラーメンの略全部を覆うようになっている。
【００８７】
さらに、この枠体７２の上下左右端の四箇所には、第１の実施の形態の枠体３に設けられていたプレート６と同様の構成のプレート７４が設けられているととともに、枠体７２の左右の中間部には、建枠Ｔの横材１１に引っかかるフック７５が取付けられている。
【００８８】
そして、この金網パネル７０は、図１８に示したように、その下端が縦材１０の中央付近に配置されるようにして、取付けられる。この金網パネル７０は、その下端が縦材１０の中央付近に配置されるようにして取付けられると、上階層の手摺として機能することが可能である。つまり、先行手摺を利用せずとも、完成済みの枠組足場の縦材１０，１０間に上記金網パネル７０を取付けると、金網パネル７０の上端部は、これから組立てられる上階の枠組足場に突出することになるので、上階層の枠組足場おける先行手摺として機能することになる。なお、金網パネル７０の下端が位置する縦材１０の中央付近は、具体的には、金網パネル７０が上階の枠組足場の先行手摺が機能できるように取付けられればよいので、金網パネル７０の上下長さによって縦材１０の中央に対して上下にある程度の範囲を有する。
【００８９】
なお、プレート７４の縦材１０への取付けは、縦材１０に取付けられる第１の実施の形態と同様の金具３４を利用して行われることになるが、他の金具１２，３３，３５を用いてもよい。
【００９０】
フック７５は、具体的には、図１９に示すように、枠体７２の左右に上下方向に並べて穿った複数の孔７６のうち一つにボルト結合され、このようにフック７５の枠体７２への取付位置は、孔７６が複数設けられているので、変更することが可能となっている。
【００９１】
そして、このようにフック７５の枠体７２への取付け位置が変更可能とされており、ピン１０ａの位置が異なる規格の縦材１０にも、横材１１に引っ掛かるフック７５の位置を適宜選択することによって、金網パネル７０を取付けることが可能であるので、縦材１０の規格に合わせて異なる規格の金網パネル７０を用意する必要が無く、金網パネル７０の汎用性、実用性および経済性を向上することができる。
【００９２】
まず、図完成済みの階層における枠組足場の建枠Ｔの縦材１０，１０に金網パネル７０を取付ける。すると、上述したように、この金網パネル７０の上部は、完成済みの枠組足場の先行手摺として機能する。
【００９３】
そして、上階の枠組足場用の先行手摺として機能する金網パネル７０が取付けられた状態下で、上階の足場板Ａの設置や、完成済みの建枠Ｔの上方にその上の階の枠組足場を構成する建枠Ｔを連結し、金網パネル７０の上端側のプレート７４を上階の建枠１０に金具３４を利用して取り付ける。その後、上階の枠組足場を完成させ、その階の縦材１０，１０に金網パネル７０を取付ける。
【００９４】
したがって、この縦材１０に取付けられる金網パネル７０の取付作業時には、先行手摺として機能する下階の金網パネル７０が存在した状態であるので、作業員は、安全に金網パネル７０の取付作業を行うことが可能である。そして、金網パネル７０は、先行手摺としてだけではなく、枠組足場の手摺としても機能することになるので、組立作業時にまったく手摺が存在しない状態となることがない。
【００９５】
すなわち、この金網パネル７０を使用して枠組足場を組立てる際には、先行手摺の設置が不要となるので、枠組足場の組立作業が飛躍的に簡略化され、作業負担の軽減効果が高い。
【００９６】
そして、この金網パネル７０は、縦材１０，１０の構造を補強するブレスとして機能する斜材７３を備えているので、手摺としても強度が十分であるので、作業員が誤って金網パネル７０にもたれかかるような状況となっても、作業員が枠組足場から落下してしまうといった危険もない。
【００９７】
また、金網パネル７０の斜材７３は、ブレスとして機能するので、縦材１０，１０間に別途ブレスを設ける必要がなくなるので、部品点数が減少し、枠組足場の組立作業が容易となり作業負担が軽減される。
【００９８】
以上の手順を順に繰り返すことによって、枠組足場を上方に組み上げつつ、養生金網として機能する金網パネル７０も設置することができ、上述したように、枠組足場の全体が完成してから養生金網を設置するような危険な作業を強いられることなく、作業員の安全を確保しつつ枠組足場を組み上げつつ養生金網としても機能する金網パネル７０を設置することが可能である。
【００９９】
そして、完成済みの枠組足場の階層の縦材１０に金網パネル７０が設置されると、この金網パネル７０は、上階の枠組足場の爪先板として機能することができ、別途、爪先板を設ける必要が無いので、この点でも枠組足場の部品点数を削減することが可能である。この第３の実施の形態では、第１の実施の形態の金網パネル１のように縦材１０の上方側に取り付けないと爪先板として機能しなかったが、この金網パネル７０の場合、金網パネル７０の設置が爪先板の設置となるので、より安全性が向上されることになる。
【０１００】
なお、枠組足場を解体する場合には、先ほどとは手順をまったく逆にして金網パネル７０を縦材１０から取外していくことになるが、この場合にも、先行手摺を利用せずして解体作業を行うことができ、非常に便利である。また、手摺と機能する金網パネル７０は、必ず、作業中の階層の枠組足場に残ることになるので、解体作業においても作業の安全性が向上することになる。
【０１０１】
この第３の実施の形態では、階下に戻って上記ラーメン内の上方を覆うために金網パネル７０を設置するといった煩わしさも無いので、作業負担が第１の実施の形態にも増して軽減されることになる。
【０１０２】
なお、第３の実施の形態の金網パネルは、図２１に示すように、持ち運びに便利なように、折り畳みが可能なように、中央で上下に分割してヒンジ結合される構成とされてもよい。この図２１に示す金網パネル８０は、上部パネル８１と、上部パネル８１にヒンジ結合される下部パネル８２とを備え、上部パネル８１および下部パネル８２は、それぞれ、長方形の金網８３と、金網８３の外縁を囲んで金網８３に取付けられる枠体８４と、枠体８４にトラス状に取付けられる一対の斜材８５とを備えて構成されており、また、上部パネル８１の枠体８４には、その上端左右にプレート７４が設けられ、他方の下部パネル８２の枠体８４には、下端左右にプレート７４と、左右にフック７５が設けられている。
【０１０３】
この金網パネル８０にあっては、中央部で折りたたむことが可能であるので、持ち運ぶ際にはコンパクトにすることができることから、運搬、保管の点で有利となる。
【０１０４】
さらに、第３の実施の形態の金網パネルは、図２２に示すように、持ち運びに便利なように、分割が可能なように、中央で上下に分割される構成とされてもよい。この図２２に示す金網パネル９０は、上部パネル９１と、下部パネル９２とを備え、上部パネル９１および下部パネル９２は、それぞれ、長方形の金網９３と、金網９３の外縁を囲んで金網９３に取付けられる枠体９４と、枠体９４にトラス状に取付けられる斜材９５と、枠体９４の上下中央部を連結する垂直材９６と、枠体９４の一端に設けた差込軸９７とを備えて構成されており、上部パネル９１と下部パネル９２にそれぞれ設けた差込軸９７を互いに相手方の枠体９４に設けた図示しない孔に差し込むことで上部パネル９１と下部パネル９２とが一体化されるようになっている。
【０１０５】
また、上部パネル９１と下部パネル９２の枠体９４には、その左右に第１の実施の形態におけるプレート５と同様の構成のプレート９８が設けられており、このプレート９８は、縦材１０のピン１０ａに取付けられることになる。
【０１０６】
この金網パネル９０にあっては、中央部で二分割することが可能であるので、持ち運ぶ際にはコンパクトにすることができることから、運搬、保管の点で有利となる。
【０１０７】
なお、この金網パネル９０の上部パネル９１と下部パネル９２とを強固に一体化するために、図２３に示すような、把持具１００を利用すると、強度上の観点からの有利となる。
【０１０８】
この把持具１００は、先端に爪を備えた本体１０１と、本体１０１に挿入され本体１０１に設けた爪に対面する爪１０２と、本体１０１の一端に形成した螺子部１０３に螺合するナット１０４とを備えて構成され、図に示すように、上部パネル９１と下部パネル９２の枠体９４同士を本体１０１の爪と爪１０２とで把持し、ナット１０４で各枠体９４を接近するように締め上げることで強固に上部パネル９１と下部パネル９２とを一体化することが可能である。
【０１０９】
なお、各実施の形態において金網パネルを枠組足場に取り付ける際に使用される先行手摺については、他の構成の先行手摺を使用することも可能である。
【０１１０】
以上で、本発明の実施の形態についての説明を終えるが、本発明の範囲は図示されまたは説明された詳細そのものには限定されないことは勿論である。
【図面の簡単な説明】
【０１１１】
【図１】（Ａ）第１の実施の形態における金網パネルの正面図である。（Ｂ）第１の実施の形態における金網パネルの一部拡大図である。
【図２】第１の実施の形態における金網パネルを縦材に取付けた状態を示す図である。
【図３】（Ａ）金網パネルを縦材に取付ける金具の正面図である。（Ｂ）金網パネルを縦材に取付ける金具の右側面図である。（Ｃ）金網パネルを縦材に取付ける金具の底面図である。
【図４】第１の実施の形態における金網パネルを枠組足場へ取付ける手順を示した図である。
【図５】先行手摺の正面図である。
【図６】（Ａ）先行手摺の取付金具の平面図である。（Ｂ）先行手摺の取付金具の正面図である。（Ｃ）先行手摺の取付金具の右側面である。
【図７】他の先行手摺の正面図である。
【図８】別の先行手摺の正面図である。
【図９】（Ａ）第１の実施の形態における金網パネルのバリエーションを示す正面図である。（Ｂ）第１の実施の形態における金網パネルの他のバリエーションを示す正面図である。
【図１０】第１の実施の形態における金網パネルの別のバリエーションを示す正面図である。
【図１１】（Ａ）金網パネルを縦材に取付ける金具のバリエーションを示す平面図である。（Ｂ）金網パネルを縦材に取付ける金具のバリエーションを示す正面図である。（Ｃ）金網パネルを縦材に取付ける金具のバリエーションを示す右側面図である。
【図１２】（Ａ）金網パネルを縦材に取付ける金具の他のバリエーションを示す平面図である。（Ｂ）金網パネルを縦材に取付ける金具の他のバリエーションを示す正面図である。（Ｃ）金網パネルを縦材に取付ける金具の他のバリエーションを示す右側面図である。
【図１３】（Ａ）金網パネルを縦材に取付ける金具の別のバリエーションを示す平面図である。（Ｂ）金網パネルを縦材に取付ける金具の別のバリエーションを示す正面図である。（Ｃ）金網パネルを縦材に取付ける金具の別のバリエーションを示す右側面図である。
【図１４】第２の実施の形態における金網パネルの正面図である。
【図１５】（Ａ）第２の実施の形態における金網パネルの一部拡大平面図である。（Ｂ）第２の実施の形態における金網パネルの一部拡大正面図である。
【図１６】第２の実施の形態における金網パネルを枠組足場へ取付けた状態を示す側面図である。
【図１７】（Ａ）第２の実施の形態の一変形例における金網パネルの一部拡大平面図である。（Ｂ）第２の実施の形態の一変形例における金網パネルの一部拡大正面図である。
【図１８】第３の実施の形態における金網パネルの正面図である。
【図１９】第３の実施の形態における金網パネルの一部拡大図である。
【図２０】第３の実施の形態における金網パネルを枠組足場へ取付ける手順を示した図である。
【図２１】第３の実施の形態の一変形例における金網パネルの一部拡大図である。
【図２２】第３の実施の形態の他の変形例における金網パネルの一部拡大図である。
【図２３】第３の実施の形態の他の変形例における金網パネルに使用される把持具の正面図である。
【符号の説明】
【０１１２】
１，３１，５０，７０，８０，９０  金網パネル
２，５１，７１，８３，９３  金網
３，５２，７２，８４，９４  枠体
４，５３，７３，８５，９５  斜材
Ｔ  建枠
１０  縦材
１１  横材
Ａ  足場板
５，６  プレート
１２，３３，３４，３５  金具
１０ａ，１２ｅ  ピン
２０，２３，２６  先行手摺
５６  ブラケット
８１，９１  上部パネル
８２，９２  下部パネル
１００  把持具
【図１】
2007177502.tif 000003
【図２】
2007177502.tif 000004
【図３】
2007177502.tif 000005
【図４】
2007177502.tif 000006
【図５】
2007177502.tif 000007
【図６】
2007177502.tif 000008
【図７】
2007177502.tif 000009
【図８】
2007177502.tif 000010
【図９】
2007177502.tif 000011
【図１０】
2007177502.tif 000012
【図１１】
2007177502.tif 000013
【図１２】
2007177502.tif 000014
【図１３】
2007177502.tif 000015
【図１４】
2007177502.tif 000016
【図１５】
2007177502.tif 000017
【図１６】
2007177502.tif 000018
【図１７】
2007177502.tif 000019
【図１８】
2007177502.tif 000020
【図１９】
2007177502.tif 000021
【図２０】
2007177502.tif 000022
【図２１】
2007177502.tif 000023
【図２２】
2007177502.tif 000024
【図２３】
2007177502.tif 000025